(57)【要約】【課題】放送チャンネルの追加サーチの際に、新たに受信される放送チャンネルがどのチャンネル選局キーに割り当てられるか識別可能に表示する。【解決手段】テレビジョン放送受信装置１０は、放送信号を受信するチューナ１２と、リモコン番号１〜１２からなるチャンネル選局キー３１を備えたリモコン３０と、チューナ１２で受信した放送信号の放送チャンネルをチャンネル選局キー３１に対応付けて『現在のチャンネルマップ』として記憶する記憶部２０とを備える。テレビジョン放送受信装置１０は、放送チャンネルの追加サーチ時に、『現在のチャンネルマップ』で受信できない放送チャンネルに対応するリモコン番号を特定し、特定したリモコン番号を、前記追加サーチにより新たに受信される放送チャンネルを割り当て可能なリモコン番号として、『追加チャンネルマップ』上で識別可能に表示する。【選択図】図１
2007060057.tif 000002
【特許請求の範囲】
【請求項１】
テレビジョン放送信号を受信する受信手段と、複数のチャンネル選局キーを備えた操作入力手段と、前記受信手段で受信したテレビジョン放送信号の放送チャンネルを前記操作入力手段のチャンネル選局キーに対応付けて第１のチャンネルマップとして記憶する記憶手段とを備えたテレビジョン放送受信装置において、前記受信手段による放送チャンネルの追加サーチ時に、前記第１のチャンネルマップで受信できない放送チャンネルに対応する前記操作入力手段のチャンネル選局キーを特定する手段と、前記追加サーチにより新たに受信される放送チャンネルを割り当てるための第２のチャンネルマップを表示する表示手段とを備え、該表示手段は、前記特定したチャンネル選局キーを、前記追加サーチにより新たに受信される放送チャンネルを割り当て可能なチャンネル選局キーとして前記第２のチャンネルマップ上で識別可能に表示することを特徴とするテレビジョン放送受信装置。
【請求項２】
請求項１に記載のテレビジョン放送受信装置において、前記表示手段は、前記第２のチャンネルマップと共に、前記第１のチャンネルマップを同時に表示することを特徴とするテレビジョン放送受信装置。
【請求項３】
請求項１又は２に記載のテレビジョン放送受信装置において、前記表示手段は、前記第２のチャンネルマップに対して、前記追加サーチにより新たに受信される放送チャンネルを割り当てられないチャンネル操作キーの表示形態を変化させることにより、前記追加サーチにより新たに受信される放送チャンネルを割り当て可能なチャンネル選局キーを識別可能に表示することを特徴とするテレビジョン放送受信装置。
【請求項４】
請求項１又は２に記載のテレビジョン放送受信装置において、前記表示手段は、前記第２のチャンネルマップに対して、前記追加サーチにより新たに受信される放送チャンネルを割り当て可能なチャンネル選局キーの表示形態を変化させることにより、前記割り当て可能なチャンネル選局キーを識別可能に表示することを特徴とするテレビジョン放送受信装置。
【請求項５】
請求項１乃至４のいずれか１に記載のテレビジョン放送受信装置において、前記表示手段は、前記追加サーチの結果、新たに受信された放送チャンネルを、前記第２のチャンネルマップの割り当て可能なチャンネル選局キーに割り当てて表示することを特徴とするテレビジョン放送受信装置。
【請求項６】
請求項１乃至５のいずれか１に記載のテレビジョン放送受信装置において、前記操作入力手段は、前記テレビジョン放送受信装置を遠隔操作可能なリモートコントロール装置であることを特徴とするテレビジョン放送受信装置。
【請求項７】
テレビジョン放送信号を受信する受信手段と、複数のチャンネル選局キーを備えた操作入力手段と、前記受信手段で受信したテレビジョン放送信号の放送チャンネルを前記操作入力手段のチャンネル選局キーに対応付けて第１のチャンネルマップとして記憶する記憶手段とを備えたテレビジョン放送受信装置の放送チャンネル追加サーチ方法において、前記受信手段による放送チャンネルの追加サーチ時に、前記第１のチャンネルマップで受信できない放送チャンネルに対応する前記操作入力手段のチャンネル選局キーを特定するステップと、前記追加サーチにより新たに受信された放送チャンネルを割り当てるための第２のチャンネルマップを表示するステップと、前記特定したチャンネル選局キーを、前記追加サーチにより新たに受信される放送チャンネルを割り当て可能なチャンネル選局キーとして前記第２のチャンネルマップ上で識別可能に表示するステップと、を有することを特徴とする放送チャンネル追加サーチ方法。
【発明の詳細な説明】
【技術分野】
【０００１】
本発明は、テレビジョン放送受信装置及び放送チャンネル追加サーチ方法、より詳細には、放送チャンネルの追加サーチの際に、新たに受信される放送チャンネルがどのチャンネル選局キーに割り当てられるか識別可能に表示するテレビジョン放送受信装置及び該装置の放送チャンネル追加サーチ方法に関する。
【背景技術】
【０００２】
ＢＳデジタル放送、ＣＳデジタル放送、及び地上波デジタル放送などのデジタル放送の普及に伴って、新しい放送チャンネルがますます増加していく傾向にある。このような新しい放送チャンネルを登録するために、放送チャンネルの追加サーチ機能を備えたテレビジョン放送受信装置が知られている。従来のテレビジョン放送受信装置では、放送チャンネルの追加サーチの際、画面左側には、現在のチャンネル選局キー（例えば、リモコン番号１〜１２）とそれに対応する放送チャンネルのチャンネル番号とが表示され、一方、画面右側には、チャンネル番号が空欄になったリモコン番号一覧が表示される。
【０００３】
さらに、画面左側には、追加サーチによって受信できないチャンネル番号が受信可能なチャンネル番号とは異なる色で表示される。追加サーチによって新たに放送チャンネルが見つかった場合、画面右側における受信できない放送チャンネルが登録されたリモコン番号に対応する位置に順次表示される。
【０００４】
従来の追加サーチ処理に関して、例えば、特許文献１には、以前行われたチャンネル初期設定時に記憶されたチャンネルマップに放送信号有りとして登録されたチャンネル以外のチャンネルについてのみ放送信号の有無の判別をおこなって、新規に放送信号を検出したチャンネル情報を、上記チャンネルマップに放送信号有りとして追加登録する受信装置が開示されている。
【０００５】
また、例えば、特許文献２には、ユーザによって新規データの追加、修正を行うことができるようにした受信装置が開示されている。これは、複数の受信チャンネルに対応する受信周波数を記憶するメモリと、その受信周波数に同調する電波を受信する受信部と、メモリ及び受信部を制御する制御手段とを備え、制御手段によりメモリから所定の順序に従って各受信チャンネルの受信周波数を読み出して受信部を動作させる受信装置において、メモリは、受信周波数が固定的に書き込まれるＲＯＭと、受信周波数が書き換え可能に書き込まれるＲＡＭとを有し、受信周波数データをＲＡＭに追加的に登録できるようにしたものである。
【特許文献１】特開２００４−３２０３９７号公報
【特許文献２】特開平６−９０１３９号公報
【発明の開示】
【発明が解決しようとする課題】
【０００６】
しかしながら、前述したテレビジョン放送受信装置において、画面右側の一覧表示には、新たに受信される放送チャンネル（チャンネル番号）を登録可能なリモコン番号と、そうでないリモコン番号とが同じ色で表示されるため、新たに受信されたチャンネル番号がどのリモコン番号に登録されるのかがわかりにくい。これを知るためには、ユーザは画面左側に視線を移して、受信できないリモコン番号を見なくてはならなかった。このような問題は、上記特許文献１及び２に記載の発明でも解決することはできない。
【０００７】
本発明は、上述のごとき実情に鑑みてなされたものであり、放送チャンネルの追加サーチの際に、新たに受信される放送チャンネルがどのチャンネル選局キーに割り当てられるか識別可能に表示するテレビジョン放送受信装置及び該装置の放送チャンネル追加サーチ方法を提供すること、を目的とする。
【課題を解決するための手段】
【０００８】
上記課題を解決するために、本発明の第１の技術手段は、テレビジョン放送信号を受信する受信手段と、複数のチャンネル選局キーを備えた操作入力手段と、前記受信手段で受信したテレビジョン放送信号の放送チャンネルを前記操作入力手段のチャンネル選局キーに対応付けて第１のチャンネルマップとして記憶する記憶手段とを備えたテレビジョン放送受信装置において、前記受信手段による放送チャンネルの追加サーチ時に、前記第１のチャンネルマップで受信できない放送チャンネルに対応する前記操作入力手段のチャンネル選局キーを特定する手段と、前記追加サーチにより新たに受信される放送チャンネルを割り当てるための第２のチャンネルマップを表示する表示手段とを備え、該表示手段は、前記特定したチャンネル選局キーを、前記追加サーチにより新たに受信される放送チャンネルを割り当て可能なチャンネル選局キーとして前記第２のチャンネルマップ上で識別可能に表示することを特徴としたものである。
【０００９】
第２の技術手段は、第１の技術手段において、前記表示手段は、前記第２のチャンネルマップと共に、前記第１のチャンネルマップを同時に表示することを特徴としたものである。
【００１０】
第３の技術手段は、第１又は第２の技術手段において、前記表示手段は、前記第２のチャンネルマップに対して、前記追加サーチにより新たに受信される放送チャンネルを割り当てられないチャンネル操作キーの表示形態を変化させることにより、前記追加サーチにより新たに受信される放送チャンネルを割り当て可能なチャンネル選局キーを識別可能に表示することを特徴としたものである。
【００１１】
第４の技術手段は、第１又は第２の技術手段において、前記表示手段は、前記第２のチャンネルマップに対して、前記追加サーチにより新たに受信される放送チャンネルを割り当て可能なチャンネル選局キーの表示形態を変化させることにより、前記割り当て可能なチャンネル選局キーを識別可能に表示することを特徴としたものである。
【００１２】
第５の技術手段は、第１乃至第４のいずれか１の技術手段において、前記表示手段は、前記追加サーチの結果、新たに受信された放送チャンネルを、前記第２のチャンネルマップの割り当て可能なチャンネル選局キーに割り当てて表示することを特徴としたものである。
【００１３】
第６の技術手段は、第１乃至第５のいずれか１の技術手段において、前記操作入力手段は、前記テレビジョン放送受信装置を遠隔操作可能なリモートコントロール装置であることを特徴としたものである。
【００１４】
第７の技術手段は、テレビジョン放送信号を受信する受信手段と、複数のチャンネル選局キーを備えた操作入力手段と、前記受信手段で受信したテレビジョン放送信号の放送チャンネルを前記操作入力手段のチャンネル選局キーに対応付けて第１のチャンネルマップとして記憶する記憶手段とを備えたテレビジョン放送受信装置の放送チャンネル追加サーチ方法において、前記受信手段による放送チャンネルの追加サーチ時に、前記第１のチャンネルマップで受信できない放送チャンネルに対応する前記操作入力手段のチャンネル選局キーを特定するステップと、前記追加サーチにより新たに受信された放送チャンネルを割り当てるための第２のチャンネルマップを表示するステップと、前記特定したチャンネル選局キーを、前記追加サーチにより新たに受信される放送チャンネルを割り当て可能なチャンネル選局キーとして前記第２のチャンネルマップ上で識別可能に表示するステップと、を有することを特徴としたものである。
【発明の効果】
【００１５】
本発明によれば、放送チャンネルの追加サーチの際に、新たに受信される放送チャンネルがどのチャンネル選局キーに割り当てられるか識別可能に表示できるため、ユーザはどのチャンネル選局キー（リモコン番号）に新たに受信された放送チャンネル（チャンネル番号）が割り当てられるのか一目でわかるようになる。
【発明を実施するための最良の形態】
【００１６】
図１は、本発明の一実施形態に係るテレビジョン放送受信装置の構成例を示すブロック図で、図中、１０はテレビジョン放送受信装置で、該テレビジョン放送受信装置１０は、外部入力端子１１、チューナ１２、セレクタ１３、デコーダ１４、映像処理回路１５、表示部１６、演算部１７、受光部１８、操作部１９、記憶部２０、及びシステムバス２１を備えている。これらの外部入力端子１１、チューナ１２、セレクタ１３、デコーダ１４、映像処理回路１５、表示部１６、演算部１７、受光部１８、操作部１９、及び記憶部２０は、システムバス２１を介して相互に接続され、ＣＰＵ等を備える演算部１７により各部の動作が制御される。
【００１７】
また、図中、３０は操作入力手段（以下、リモコン）で、該リモコン３０は、１〜１２の番号が割り当てられたチャンネル選局キー３１、決定キー３２、メニューキー３３、カーソルキー３４、及びチャンネルマップ表示キー３５を備えている。リモコン３０から送信される操作信号は、テレビジョン放送受信装置１０の受光部１８で受光される。テレビジョン放送受信装置１０は、リモコン３０からの操作信号を受信し、その操作信号に応じた機能を実行する。
【００１８】
図１において、外部入力端子１１は、外部接続される図示しない記録再生装置（チューナ内蔵レコーダなど）と接続し、記録再生装置が備えるチューナからのテレビジョン放送信号を入力するための端子である。チューナ１２は、放送局から送信されてくるテレビジョン放送信号を受信する手段であって、アナログ放送用のチューナ、あるいは、デジタル放送用のチューナであってもよい。また、アナログ放送用及びデジタル放送用の両方のチューナを備える構成としてもよい。
【００１９】
セレクタ１３は、外部入力端子１１からの入力（テレビジョン放送信号）と、チューナ１２からの入力のいずれかの入力（テレビジョン放送信号）を選択的に切り替える手段である。デコーダ１４は、セレクタ１３で選択されたテレビジョン放送信号を復号する手段である。映像処理回路１５は、各種のＯＳＤ情報を生成し、生成したＯＳＤ情報をデコーダ１４で復号されたテレビジョン放送信号に重畳させる処理を行う。
【００２０】
表示部１６は、映像処理回路１５から入力されるテレビジョン放送信号とＯＳＤ情報を表示するＬＣＤ（Ｌｉｑｕｉｄ  Ｃｒｙｓｔａｌ  Ｄｉｓｐｌａｙ：液晶ディスプレイ）などの表示手段である。演算部１７は、テレビジョン放送受信装置１０を構成する各部を制御するためのＣＰＵなどを備える。受光部１８は、リモコン３０からの操作信号（赤外線信号）を受光し、その操作信号を演算部１７に入力する。操作部１９は、テレビジョン放送受信装置１０の本体側に設けられ、本体側から主電源、音量、チャンネル選局などの各種操作を可能とする。
【００２１】
記憶部２０は、半導体メモリなどの記憶媒体であって、外部入力端子１１あるいはチューナ１２から入力されるテレビジョン放送信号の放送チャンネル（以下、チャンネル番号という）を、リモコン３０のチャンネル選局キー３１に対応付けてチャンネルマップとして記憶する。このチャンネルマップとは、例えば、リモコン３０のチャンネル選局キー３１に１〜１２の数字（これをリモコン番号という）が予め割り当てられている場合、このリモコン番号１〜１２に対してチャンネル番号５１，２，…，１１，４４が順に対応付けられたものである。この状態を『現在のチャンネルマップ』２０ａとし（後述の図３参照）、この『現在のチャンネルマップ』２０ａが現在登録されているチャンネルマップであって、本発明の第１のチャンネルマップに相当する。
【００２２】
上記において、リモコン３０を操作するユーザが、例えば、チャンネル選局キー３１のリモコン番号１を選択すると、リモコン番号１に応じたチャンネル番号５１の選局情報がテレビジョン放送受信装置１０に送信される。テレビジョン放送受信装置１０は、チャンネル番号５１に応じたテレビジョン放送信号を受信して、その映像情報を表示部１６から表示させる。
【００２３】
また、記憶部２０には、チャンネル番号の追加サーチを行ったときの追加チャンネルマップも一時的に記憶される。例えば、追加サーチの結果、チャンネル選局キー３１のリモコン番号１，２にそれぞれ割り当てられているチャンネル番号５１，２が受信されず、新たにチャンネル番号４０，１７が受信された場合、受信されないチャンネル番号５１，２に対応するリモコン番号１，２は空き番号として判定され、新たなチャンネル番号４０，１７は上記空き番号であるリモコン番号１，２に割り当てられることになる。この状態を『追加チャンネルマップ』２０ｂとし、この『追加チャンネルマップ』２０ｂが本発明の第２のチャンネルマップに相当する。これらの『現在のチャンネルマップ』２０ａと『追加チャンネルマップ』２０ｂの状態を後述の図４及び図５に示す。
【００２４】
ここで、『追加チャンネルマップ』２０ｂは、図４に示すように、放送チャンネルのチャンネル番号部分が空欄の状態で表示され、放送チャンネルが追加サーチされると、図５に示すように、追加サーチされたチャンネル番号４０，１７，３９，４７が、空き番号と判定されたリモコン番号１，２，５，７に順次割り当てられて表示される。
【００２５】
さらに、図５において、『追加チャンネルマップ』２０ｂは、『現在のチャンネルマップ』２０ａと合成され、後述の図６に示す『新規のチャンネルマップ』２０ｃが生成される。この『新規のチャンネルマップ』２０ｃがこれから登録しようとするチャンネルマップである。
【００２６】
上述の『現在のチャンネルマップ』２０ａと『追加のチャンネルマップ』２０ｂの画面（ＯＳＤ）情報は、演算部１７からの制御に基づいて、映像処理回路１５で生成され、表示部１６から表示される。このときのＯＳＤ表示処理が、本発明における主たる特徴であり、これについて以下に説明する。
【００２７】
図１に示すテレビジョン放送受信装置１０において、演算部１７は、チューナ１２による放送チャンネルの追加サーチ時に、『現在のチャンネルマップ』２０ａで受信できない放送チャンネルに対応するリモコン３０のチャンネル選局キー３１を特定する。表示部１６は、図４に示すように、追加サーチにより新たに受信される放送チャンネルを割り当てるための『追加チャンネルマップ』２０ｂを表示する。このとき、『現在のチャンネルマップ』２０ａを表示しないようにしてもよい。
【００２８】
表示部１６は、演算部１７で特定したチャンネル選局キー３１を、追加サーチにより新たに受信される放送チャンネルを割り当て可能なチャンネル選局キーとして、『追加チャンネルマップ』２０ｂ上で識別可能に表示する。例えば、追加サーチによってリモコン番号１，２，５，７，１１に対応するチャンネル番号５１，２，５，７，１１が受信できない場合、リモコン番号１，２，５，７，１１に対してチャンネル番号を割り当て可能と判定する。そこで、リモコン番号１，２，５，７，１１が割り当て可能であることがわかるように、『追加チャンネルマップ』２０ｂの表示形態を加工する。この表示加工処理は、映像処理回路１５によって実行される。
【００２９】
例えば、割り当て可能なリモコン番号（ここではリモコン番号１，２，５，７，１１）あるいはその背景に色付け表示したり、該当リモコン番号に対して太字化、斜体化、下線引きなどの各種の表示加工処理を適用することができる。また、逆に、割り当て可能なリモコン番号以外の割り当てできないリモコン番号（ここではリモコン番号３，４，６，８，９，１０，１２）に対して色付け、太字化、斜体化、下線引きなどの各種の表示加工処理を行ってもよい。
【００３０】
このように、放送チャンネルの追加サーチの際に、新たに受信される放送チャンネルがどのチャンネル選局キーに割り当てられるか識別可能に表示できるため、ユーザはどのチャンネル選局キー（リモコン番号）に新たに受信された放送チャンネル（チャンネル番号）が割り当てられるのか一目でわかるようになる。
【００３１】
図２は、図１に示したテレビジョン放送受信装置１０の放送チャンネル追加サーチ処理の一例を説明するためのフロー図である。また、図３は、『現在のチャンネルマップ』２０ａの画面表示例を示す図である。以下、図３〜図６において、上段がリモコン３０のチャンネル操作キー３１に割り当てられたリモコン番号（１〜１２）、下段は放送チャンネルのチャンネル番号を示す。
【００３２】
図４は、『現在のチャンネルマップ』２０ａと『追加チャンネルマップ』２０ｂの画面表示例を示す図である。なお、『現在のチャンネルマップ』２０ａにおいて、背景が薄いグレーに色付けされたリモコン番号及びチャンネル番号は、追加サーチによって受信できないチャンネル番号が入っているポジションであることを示す。本例では、リモコン番号１，２，５，７，１１に該当する。また、『追加チャンネルマップ』２０ｂにおいて、背景が濃いグレーに色付けされたリモコン番号及びチャンネル番号（空欄）は、追加サーチによって新たに受信されるチャンネル番号が入らないポジションであることを示す。本例では、リモコン番号３，４，６，８，９，１０，１２に該当する。
【００３３】
図５は、『現在のチャンネルマップ』２０ａと『追加チャンネルマップ』２０ｂの表示画面の他の例を示す図である。図４に示すように、『追加チャンネルマップ』２０ｂは、放送チャンネルのチャンネル番号部分が空欄の状態で表示され、放送チャンネルが追加サーチされると、図５に示すように、追加サーチされたチャンネル番号４０，１７，３９，４７が、空き番号と判定されたリモコン番号１，２，５，７に順次割り当てられて表示される。
【００３４】
図６は、『現在のチャンネルマップ』２０ａと『追加チャンネルマップ』２０ｂにより合成された『新規のチャンネルマップ』２０ｃの画面表示例を示す図である。なお、図６において、背景がグレーに色付けされたチャンネル番号に対応するリモコン番号は、追加サーチによって新たに受信されたチャンネル番号が入っているポジションであることを示す。本例では、リモコン番号１，２，５，７に該当する。ここでは、追加サーチによって新たに受信されたチャンネル番号が４０，１７，３９，４７の４つであるため、リモコン番号１から順にリモコン番号２，５，７に割り当てられる。ここで、追加サーチによって、リモコン番号１１に対応するチャンネル番号１１は受信されなかったが、新たに受信されたチャンネル番号の割り当てがないため、既に登録されているチャンネル番号１１がそのまま割り当てられる。
【００３５】
図２において、まず、ユーザは、リモコン３０を操作して、メニューキー３３を押下して、テレビジョン放送受信装置１０にメニューを表示させ、該メニューに含まれる「チャンネル追加」の項目を選択する（ステップＳ１）。これに応じて、テレビジョン放送受信装置１０は、図３に示す『現在のチャンネルマップ』２０ａ、すなわち、現在のチャンネル選局キー３１毎のチャンネル番号を表示する（ステップＳ２）。
【００３６】
次に、テレビジョン放送受信装置１０は、放送チャンネルの追加サーチを行い（ステップＳ３）、図４に示すように、追加サーチ用の『追加チャンネルマップ』２０ｂを表示し、空きポジションとそうでないポジションが識別可能なように表示処理される（ステップＳ４）、次に、『追加プリセット処理開始』、すなわち、追加サーチした結果、所定の放送チャンネル（本例では、チャンネル番号４０，１７，３９，４７）がサーチされたら、図５に示すように、空きポジション（リモコン番号１，２，５，７）に表示する（ステップＳ５）。
【００３７】
なお、図４及び図５において、『現在のチャンネルマップ』２０ａを表示させるかどうかを、リモコン３０のチャンネルマップ表示キー３５によって切り替えるようにしてもよい。ここでは『現在のチャンネルマップ』２０ａを同時に表示させた状態を例に説明する。
【００３８】
図４及び図５に示す『現在のチャンネルマップ』２０ａにおいて、背景が薄いグレーに色付けされたリモコン番号及びチャンネル番号は、追加サーチによって受信できないチャンネル番号が入っているポジションであることを示す。本例では、リモコン番号１，２，５，７，１１に該当する。また、『追加チャンネルマップ』２０ｂにおいて、背景が濃いグレーに色付けされたリモコン番号及びチャンネル番号は、追加サーチによって新たに受信されるチャンネル番号が入らないポジションであることを示す。本例では、リモコン番号３，４，６，８，９，１０，１２に該当する。
【００３９】
もちろん、上記色付け箇所を逆にしてもよい。すなわち、背景が薄いグレーに色付けされたリモコン番号及びチャンネル番号が、追加サーチによって受信可能なチャンネル番号が入っているポジションであることを示すようにする。この場合、リモコン番号３，４，６，８，９，１０，１２に該当する。また、『追加チャンネルマップ』２０ｂにおいて、背景が濃いグレーに色付けされたリモコン番号及びチャンネル番号が、追加サーチによって新たに受信されるチャンネル番号が入るポジションであることを示すようにする。この場合、リモコン番号１，２，５，７，１１に該当する。
【００４０】
次に、テレビジョン放送受信装置１０は、図５に示す『現在のチャンネルマップ』２０ａと『追加チャンネルマップ』２０ｂを合成し、その結果得られる図６に示す『新規のチャンネルマップ』２０ｃを表示する（ステップＳ６）。なお、図６の『新規のチャンネルマップ』２０ｃにおいて、背景がグレーに色付けされたチャンネル番号（４０，１７，３９，４７）は、追加サーチによって新たに受信されたもので、空き番号と判定されたリモコン番号１，２，５，７に割り当てられ、その他のリモコン番号とチャンネル番号はそのまま保持される。
【００４１】
次に、テレビジョン放送受信装置１０は、『新規のチャンネルマップ』２０ｃが表示された状態で、ユーザによってリモコン３０の決定キー３２が押下されたかどうかを判断し（ステップＳ７）、決定キー３２が押下されたと判断した場合（ＹＥＳの場合）、追加プリセットされたチャンネルマップ、すなわち、『新規のチャンネルマップ』２０ｃを記憶部２０に登録する処理を行う（ステップＳ８）。また、上記ステップＳ７において、リモコン３０の決定キー３２が押下されないと判断した場合（ＮＯの場合）、そのまま終了し、チャンネルマップの更新登録は行わない。
【００４２】
また、リモコン３０の図示しないキャンセルキーが押下された場合、テレビジョン放送受信装置１０は、『新規のチャンネルマップ』２０ｃを登録処理せずに、『現在のチャンネルマップ』２０ａをそのまま保持するものとする。
【００４３】
以上に説明したように、本発明によれば、放送チャンネルの追加サーチの際に、新たに受信される放送チャンネルがどのチャンネル選局キーに割り当てられるか識別可能に表示できるため、ユーザはどのチャンネル選局キー（リモコン番号）に新たに受信された放送チャンネル（チャンネル番号）が割り当てられるのか一目でわかるようになる。
【図面の簡単な説明】
【００４４】
【図１】本発明の一実施形態に係るテレビジョン放送受信装置の構成例を示すブロック図である。
【図２】図１に示したテレビジョン放送受信装置の放送チャンネル追加サーチ処理の一例を説明するためのフロー図である。
【図３】『現在のチャンネルマップ』の画面表示例を示す図である。
【図４】『現在のチャンネルマップ』と『追加チャンネルマップ』の画面表示例を示す図である。
【図５】『現在のチャンネルマップ』と『追加チャンネルマップ』の表示画面の他の例を示す図である。
【図６】『現在のチャンネルマップ』と『追加チャンネルマップ』により合成された『新規のチャンネルマップ』の画面表示例を示す図である。
【符号の説明】
【００４５】
１０…テレビジョン放送受信装置、１１…外部入力端子、１２…チューナ、１３…セレクタ、１４…デコーダ、１５…映像処理回路、１６…表示部、１７…演算部、１８…受光部、１９…操作部、２０…記憶部、２０ａ…現在のチャンネルマップ、２０ｂ…追加チャンネルマップ、２０ｃ…新規のチャンネルマップ、２１…システムバス、３０…操作入力手段（リモコン）、３１…チャンネル選局キー、３２…決定キー、３３…メニューキー、３４…カーソルキー、３５…チャンネルマップ表示キー。
【図１】
2007060057.tif 000003
【図２】
2007060057.tif 000004
【図３】
2007060057.tif 000005
【図４】
2007060057.tif 000006
【図５】
2007060057.tif 000007
【図６】
2007060057.tif 000008